(57)【要約】  本発明の電子機器（オーディオ再生装置１）は、携帯機器２が着脱自在に且つ水密に収容される防水仕様の保護ケース４と、保護ケース４に装着した携帯機器２と通信可能に構成された機器本体３と、機器本体３に対し、保護ケース４を回転自在に支持する回動軸部５と、を備え、機器本体３は、保護ケース４の背面を添わせた状態で受容するケース受容部３１と、回動軸部５を囲繞し、保護ケース４とケース受容部３１との間隙に介設されたリング状パッキン３２と、を有している。
2012137253.tif 000002
【特許請求の範囲】
【請求項１】
携帯機器が着脱自在に且つ水密に収容される防水仕様の保護ケースと、
前記保護ケースに装着した前記携帯機器と通信可能に構成された機器本体と、
前記機器本体に対し、前記保護ケースを回転自在に支持する回動軸部と、を備え、
前記機器本体は、
前記保護ケースの背面を添わせた状態で受容するケース受容部と、
前記回動軸部を囲繞し、前記保護ケースと前記ケース受容部との間隙に介設された機器シール部と、を有していることを特徴とする電子機器。
【請求項２】
前記回動軸部は、前記保護ケースを、縦向き位置と横向き位置との間で回動自在に支持することを特徴とする請求項１に記載の電子機器。
【請求項３】
前記回動軸部は、前記ケース受容部に形成された軸用開口に回動自在に支持されており、
前記保護ケースおよび前記ケース受容部には、前記縦向き位置と前記横向き位置とでクリック係合するクリック機構が組み込まれていることを特徴とする請求項２に記載の電子機器。
【請求項４】
前記保護ケースに装着された前記携帯機器と前記機器本体とを接続する通信ケーブルを、更に備え、
前記回動軸部は、軸心部に前記通信ケーブルが配線されるケーブル開口を有し、
前記保護ケースは、背面に前記ケーブル開口に合致すると共に前記通信ケーブルが配線される軸連通開口を有していることを特徴とする請求項１に記載の電子機器。
【請求項５】
前記ケース受容部は、前記機器本体のフロント部に配設され、前記保護ケースの前面と前記フロント部の前面とが面一となるように、窪入形成されていることを特徴とする請求項１に記載の電子機器。
【請求項６】
前記フロント部と前記保護ケースとは、同幅に形成され、
前記ケース受容部と前記保護ケースとは、相補的形状に形成されていることを特徴とする請求項５に記載の電子機器。
【請求項７】
前記回動軸部は、前記保護ケースの中心から長手方向に位置ずれした位置に配設されていることを特徴とする請求項６に記載の電子機器。
【請求項８】
前記保護ケースは、
前記携帯機器が着脱自在に装着されると共に、背面を前記ケース受容部に添わせて設けた本体ケースと、
前記本体ケースを開閉自在に閉塞する蓋ケースと、
前記本体ケースと前記蓋ケースとの間に介設したケースシール部と、を有していることを特徴とする請求項１に記載の電子機器。
【請求項９】
前記保護ケースは、
前記蓋ケースを前記本体ケースに閉塞ロックするロック機構を、更に有していることを特徴とする請求項８に記載の電子機器。
【請求項１０】
前記本体ケースと前記蓋ケースとは、同一輪郭形状を有し、
前記本体ケースは、板状に形成され、
前記蓋ケースは、前記本体ケース側を開放した箱状に形成されていることを特徴とする請求項８に記載の電子機器。
【請求項１１】
前記携帯機器は、１の面に表示部および操作部を有し、
前記１の面を前記蓋ケース側に向けて、前記本体ケースに装着されることを特徴とする請求項８に記載の電子機器。
【請求項１２】
前記蓋ケースは、少なくとも前記携帯機器の前記１の面が臨むカバー板が透光性の材料で構成されていることを特徴とする請求項１１に記載の電子機器。
【請求項１３】
前記カバー板は、外側から前記携帯機器の前記操作部を操作可能な可とう性の材料で構成されていることを特徴とする請求項１２に記載の電子機器。
【請求項１４】
前記保護ケースに装着された前記携帯機器と前記機器本体とを接続する通信ケーブルを、更に備え、
前記本体ケースは、前記通信ケーブルの端部に設けられ、前記携帯機器が装着されるコネクタを有していることを特徴とする請求項８に記載の電子機器。
【請求項１５】
前記本体ケースは、装着された前記携帯機器を挟んで前記コネクタに対峙し、前記携帯機器を前記コネクタ側に寄せ込むスライド突起を、更に有していることを特徴とする請求項１４に記載の電子機器。
【請求項１６】
前記本体ケースは、前記通信ケーブルにおける前記保護ケース側のケーブル部分を収容する中空部を、更に有していることを特徴とする請求項１４に記載の電子機器。
【請求項１７】
前記携帯機器がオーディオソース機器であり、
前記オーディオソース機器からのオーディオ信号を再生することを特徴とする請求項１ないし１６のいずれかに記載の電子機器。
【発明の詳細な説明】
【技術分野】
【０００１】
本発明は、オーディオソース機器等の携帯機器を装着可能であって、且つ装着した携帯機器と通信可能な電子機器に関するものである。
【背景技術】
【０００２】
従来、この種の電子機器として、携帯電話機が着脱自在に装着される充電器が知られている（特許文献１参照）。この充電器は、表示画面を外部から視認可能な状態で携帯電話機を保持する保持部と、保持部による携帯電話機の保持角度を表示画面と同一面内において調整するための回転機構部と、回転機構部を介して保持部を回転可能に支持し、テーブル等の載置面上に載置される支持基台と、を備えている。
保持部は、前面が開放された箱状に形成され、その底部分には、装着した携帯電話機と電気的に接続される充電端子が設けられている。回転機構部は、支持基台の支持部に回転自在に設けられた回転軸を有し、この回転軸により、保持部は３６０°回転可能となっている。そして、充電のための電源線は、支持基台の内部を通り、更に回転軸の中心部を通って、保持部の充電端子に接続されている。
【先行技術文献】
【特許文献】
【０００３】
【特許文献１】特開２００５−０７３１４３号公報
【発明の概要】
【発明が解決しようとする課題】
【０００４】
ところで、上記の携帯電話機や携帯音楽プレーヤー等の携帯機器を装着し、これら携帯機器をソース機器として、そのオーディオ信号を再生するオーディオ再生装置も知られている。
この種のオーディオ再生装置に、上記従来の充電器の構造を適用すれば、再生時に、ハンズフリーで携帯機器の表示画面の画像（動画）を楽しむことができる。しかし、屋外で使用することのない充電器に対し、屋外または浴室等の水場で使用することのあるオーディオ再生装置では、携帯機器自体の防水の問題および携帯機器を装着する部分の防水の問題が生ずる。【０００５】
本願発明は、携帯機器を装着可能であり且つ装着した携帯機器と通信可能であると共に、屋外や水場で使用することが可能な電子機器を提供することを、その課題としている。
【課題を解決するための手段】
【０００６】
本発明の電子機器は、携帯機器が着脱自在に且つ水密に収容される防水仕様の保護ケースと、保護ケースに装着した携帯機器と通信可能に構成された機器本体と、機器本体に対し、保護ケースを回転自在に支持する回動軸部と、を備え、機器本体は、保護ケースの背面を添わせた状態で受容するケース受容部と、回動軸部を囲繞し、保護ケースとケース受容部との間隙に介設された機器シール部と、を有していることを特徴とする。【０００７】
この構成によれば、機器本体に装着した携帯機器が、防水仕様の保護ケースに水密に収容されるため、水滴等から携帯機器を確実にシールすることができる。また、保護ケースと機器本体のケース受容部との間隙に機器シール部を設けることで、保護ケースの取付部分から機器本体への水滴等の浸入、および回転機構部分への塵埃の付着等を有効に防止することができる。しかも、回動軸部により保護ケースを回転させることができるため、装着した携帯機器の姿勢を、その使用状態に応じて自在に変更することができる。【０００８】
この場合、回動軸部は、保護ケースを、縦向き位置と横向き位置との間で回動自在に支持することが好ましい。【０００９】
この構成によれば、保護ケースに装着した携帯機器を、その使用状態に応じて、いわゆる縦向きおよび横向きに自在に姿勢変更することができる。【００１０】
この場合、回動軸部は、ケース受容部に形成された軸用開口に回動自在に支持されており、保護ケースおよびケース受容部には、縦向き位置と横向き位置とでクリック係合するクリック機構が組み込まれていることが好ましい。【００１１】
この構成によれば、クリック機構により、保護ケースを介して携帯機器を、無理のない位置規制を行いつつ縦向きおよび横向きに姿勢変更することができる。【００１２】
また、保護ケースに装着された携帯機器と機器本体とを接続する通信ケーブルを、更に備え、回動軸部は、軸心部に通信ケーブルが配線されるケーブル開口を有し、保護ケースは、背面にケーブル開口に合致すると共に通信ケーブルが配線される軸連通開口を有していることが好ましい。【００１３】
この構成によれば、有線で携帯機器と機器本体とを通信接続することができると共に、通信ケーブルに可動部分があっても、損傷を生ずるような外力が作用することがない。また、上記の機器シール部により、機器本体内および保護ケース内への水滴等の浸入を有効に防止することができる。【００１４】
さらに、ケース受容部は、機器本体のフロント部に配設され、保護ケースの前面とフロント部の前面とが面一となるように、窪入形成されていることが好ましい。【００１５】
この構成によれば、保護ケースの全部または一部が、機器本体のフロント部から突出することがないため、保護ケースを有効にプロテクトすることができる。また、これにより、電子機器全体としての意匠性を高めることができる。【００１６】
この場合、フロント部と保護ケースとは、同幅に形成され、ケース受容部と保護ケースとは、相補的形状に形成されていることが好ましい。【００１７】
この構成によれば、保護ケースと機器本体とに、意匠上の一体性を持たせることができ、より一層、電子機器全体としての意匠性を高めることができる。なお、保護ケースが回動することを考慮すると、保護ケースの両外端は、回動軸部を中心とする円弧形状に形成され、ケース受容部の両内端も同様の円弧形状に形成される。【００１８】
この場合、回動軸部は、保護ケースの中心から長手方向に位置ずれした位置に配設されていることが好ましい。【００１９】
この構成によれば、保護ケースを、フロント部に沿って一文字を為す位置と、フロント部に対し逆「Ｔ」字を為す位置と、の間で回動させることができ、保護ケースを回動させても意匠性が損なわれることがない。また、保護ケースを、逆「Ｔ」字を為す位置から更に大きく回動させると、保護ケースの側面がケース受容部の縁端に突き当たるため、ケース受容部を、保護ケースの回動端位置を規制するストッパーとして機能させることができる。【００２０】
一方、保護ケースは、携帯機器が着脱自在に装着されると共に、背面をケース受容部に添わせて設けた本体ケースと、本体ケースを開閉自在に閉塞する蓋ケースと、本体ケースと蓋ケースとの間に介設したケースシール部と、を有していることが好ましい。【００２１】
この場合、保護ケースは、蓋ケースを本体ケースに閉塞ロックするロック機構を、更に有していることが好ましい。【００２２】
これらの構成によれば、携帯機器の着脱を容易に行うことができると共に、携帯機器のシールを確実に行うことができる。また、蓋ケースを開放することで、携帯機器の操作を本体ケースに装着したまま行うことができる。【００２３】
また、本体ケースと蓋ケースとは、同一輪郭形状を有し、本体ケースは、板状に形成され、蓋ケースは、本体ケース側を開放した箱状に形成されていることが好ましい。【００２４】
この構成によれば、蓋ケースを開放した状態で、本体ケースに対する携帯機器の着脱を、上下または左右の側方から容易に行うことができる。【００２５】
さらに、携帯機器は、１の面に表示部および操作部を有し、１の面を蓋ケース側に向けて、本体ケースに装着されることが好ましい。【００２６】
この構成によれば、携帯機器を本体ケースに装着した状態で、その操作を容易に行うことができると共に、無理なく表示部の画面鑑賞を行うことができる。【００２７】
この場合、蓋ケースは、少なくとも携帯機器の１の面が臨むカバー板が透光性の材料で構成されていることが好ましい。【００２８】
この構成によれば、蓋ケースを閉塞した状態であっても、携帯機器の画面鑑賞を行うことができる。【００２９】
この場合、カバー板は、外側から携帯機器の操作部を操作可能な可とう性の材料で構成されていることが好ましい。【００３０】
この構成によれば、蓋ケースを閉塞した状態であっても、携帯機器の操作を行うことができる。この場合、カバー板は、透明なシートであることが好ましい。【００３１】
また、保護ケースに装着された携帯機器と機器本体とを接続する通信ケーブルを、更に備え、本体ケースは、通信ケーブルの端部に設けられ、携帯機器が装着されるコネクタを有していることが好ましい。【００３２】
この構成によれば、携帯機器を本体ケースに装着するだけで、携帯機器と機器本体とを電気的な接続状態にすることができる。【００３３】
この場合、本体ケースは、装着された携帯機器を挟んでコネクタに対峙し、携帯機器をコネクタ側に寄せ込むスライド突起を、更に有していることが好ましい。【００３４】
この構成によれば、本体ケースに装着した携帯機器を、本体ケースに不動に保持することができ、コネクタに対する携帯機器の接続不良や脱落を、有効に防止することができる。【００３５】
また、本体ケースは、通信ケーブルにおける保護ケース側のケーブル部分を収容する中空部を、更に有していることが好ましい。【００３６】
この構成によれば、通信ケーブルの取り回しを適切に行うことができる。なお、中空部を有する本体ケースは、浅い箱状の部材と板状の部材とを貼り合せて構成することが好ましい。【００３７】
一方、携帯機器がオーディオソース機器であり、オーディオソース機器からのオーディオ信号を再生することが好ましい。【００３８】
この構成によれば、オーディオソース機器が装着可能であり且つその再生が可能な、防水仕様の電子機器を提供することができる。
【発明の効果】
【００３９】
本発明の電子機器によれば、携帯機器を装着可能であり且つ装着した携帯機器と通信可能であると共に、屋外や水場で使用することが可能な防水仕様とすることができる。
【図面の簡単な説明】
【００４０】
【図１】本実施形態に係るオーディオ再生装置の外観斜視図である。
【図２】保護ケースを機器本体から取り外した状態を示した分解斜視図である。
【図３】保護ケースが横向き位置に保持された状態のオーディオ再生装置の部分正面図である。
【図４】保護ケースが縦向き位置に保持された状態のオーディオ再生装置の部分正面図である。
【図５】保護ケースの分解斜視図である。
【図６】回動軸部、ケース受容部の一部および本体ケースの一部の断面図である。
【図７】（ａ）は蓋ケースが開放された状態の保護ケースを示した斜視図であり、（ｂ）はケースパッキン周りを模式的に示した部分断面図である。
【図８】保護ケースが縦向き位置に保持され、蓋ケースが開放された状態のオーディオ再生装置の部分正面図である。
【発明を実施するための形態】
【００４１】
以下、添付の図面を参照して、本発明の電子機器をオーディオ再生装置に適用した場合について説明する。このオーディオ再生装置は、携帯電話や携帯音楽プレーヤー等の携帯機器（オーディオソース機器）を装着可能に構成され、携帯機器が持つ楽曲等のオーディオソースを再生するものである。また、このオーディオ再生装置は、屋外での使用や浴室等の水場での使用を考慮して、防水仕様となっている。
【００４２】
図１は、オーディオ再生装置１の外観斜視図である。図２は、保護ケース４を機器本体３から取り外した状態を示した分解斜視図である。図３は、保護ケース４が横向き位置に保持された状態のオーディオ再生装置１の部分正面図である。図４は、保護ケース４が縦向き位置に保持された状態のオーディオ再生装置１の部分正面図である。
【００４３】
図１に示すように、オーディオ再生装置１は、携帯機器２が装着される保護ケース４と、中央に保護ケース４が取り付けられた機器本体３と、機器本体３に対し保護ケース４を回動自在に支持する回動軸部５（図６参照）と、保護ケース４に装着した携帯機器２と機器本体３とを接続する通信ケーブル６（図６参照）と、を備えている。
【００４４】
携帯機器２は、一方の面に表示部２１（画面）および操作部２２を有している（図３、図４および図８参照）。なお、表示部２１はタッチパネルで形成してもよく、この場合は操作部２２も兼ねることができる。
【００４５】
機器本体３は、断面三角形を基調にして横長にデザインされており、傾斜したフロント部３ａには、横向き姿勢の保護ケース４を挟んで左右にスピーカー３ｂが配設されている。機器本体３の内部には、携帯機器２との接続を行うインターフェース回路やオーディオ再生回路、記憶回路、電源回路等が内蔵されている。
【００４６】
図２に示すように、機器本体３は、保護ケース４が正面から遊嵌するように取り付けられたケース受容部３１と、ケース受容部３１に設けられ、保護ケース４を回転自在に支持する回動軸部５の周りをシールするリング状パッキン３２（機器シール部）と、を備えている。
【００４７】
機器本体３のフロント部３ａと、横向き姿勢の保護ケース４とは、上下方向において同幅に形成されている（図１および図３参照）。保護ケース４は、その上下の面および前面が露出した状態でケース受容部３１に収まっている。すなわち、ケース受容部３１は、フロント部３ａの前面と保護ケース４の前面とが面一となるように、フロント部３ａに対し窪入形成されている。保護ケース４が、機器本体３のフロント部３ａから前面に突出することがないため、保護ケース４を有効にプロテクトすることができる。また、これにより、オーディオ再生装置１全体としての意匠性を高めることができる。
【００４８】
また、ケース受容部３１と保護ケース４との間には、所定の間隙が設けられており、浴室の水滴や降雨による雨水等がこの間隙を通って下方に円滑に流下するようになっている。
【００４９】
ケース受容部３１は、正面壁３１ａと、右側壁３１ｂと、左側壁３１ｃと、を有している。正面壁３１ａは、フロント部３ａの前面と平行に（傾斜して）形成されている。
【００５０】
図２ないし図４に示すように、正面壁３１ａの中央右寄りの位置には、回動軸部５が臨む軸用開口３３が形成されている。さらに、正面壁３１ａには、回動軸部５と同軸上であって軸用開口３３の外側に位置して、リング状パッキン３２が装着される環状溝３４が形成されている。
【００５１】
軸用開口３３には、保護ケース４の背面に設けられた回動軸部５（詳細は後述する。）が回転自在に支持される。すなわち、保護ケース４は、軸用開口３３に挿通した回動軸部５を介して回動自在に支持される。これにより、携帯機器２を収容した保護ケース４は、起立姿勢となる縦向き位置（図４参照）と、横臥姿勢となる横向き位置（図３参照）と、の間（９０°の範囲）で揺動自在に支持される。
【００５２】
また、右側壁３１ｂおよび左側壁３１ｃは、回動軸部５を中心とする円に倣って円弧状に湾曲している。右側壁３１ｂと左側壁３１ｃとは、互いに曲率の異なる円弧状曲面となっている。
【００５３】
リング状パッキン３２は、例えばシリコンゴム等からなる所謂Ｏリングである。リング状パッキン３２は、正面壁３１ａに窪入形成された環状溝３４に嵌合している。詳細は後述するが、リング状パッキン３２は、軸用開口３３に対して回動軸部５を介して回転自在に支持された保護ケース４の背面に密着し、外側からの水の浸入を防止している。
【００５４】
次に、保護ケース４について説明する。図５は、保護ケース４の分解斜視図である。図６は、回動軸部５、ケース受容部３１の一部および本体ケース４１の一部の断面図である。図７（ａ）は、蓋ケース４２が開放された状態の保護ケース４を示した斜視図であり、図７（ｂ）は、ケースパッキン４３周りを模式的に示した部分断面図である。図８は、保護ケース４が縦向き位置に保持され、蓋ケース４２が開放された状態のオーディオ再生装置１の部分正面図である。
【００５５】
上述したように、保護ケース４は、正面視においてケース受容部３１と相補的な形状を形成されている。これにより、保護ケース４は、ケース受容部３１の正面壁３１ａと同一平面内において、左側壁３１ｃおよび右側壁３１ｂに沿って、回動軸部５を中心に回動する。
【００５６】
図５に示すように、保護ケース４は、携帯機器２が着脱自在に装着されると共に、背面をケース受容部３１に添わせて設けた本体ケース４１と、本体ケース４１の前側空間を開閉する蓋ケース４２と、本体ケース４１と蓋ケース４２との間に介設したケースパッキン４３（ケースシール部）と、を有している。
【００５７】
本体ケース４１は、携帯機器２が装着されるコネクタアッセンブリー４４と、コネクタアッセンブリー４４の背面側（機器本体３側）に重なるベースプレート４５と、で構成されている。本体ケース４１は、例えばＡＢＳ樹脂等の材料で全体として厚板状に形成されている。
【００５８】
コネクタアッセンブリー４４は、携帯機器２の背面が当接する装着プレート５１と、携帯機器２側のジャックに接続されるコネクタ５２と、装着プレート５１の表面、長手方向の一端に突設され、コネクタ５２を支持するコネクタカバー５３と、装着プレート５１上に装着された携帯機器２を挟んでコネクタカバー５３（コネクタ５２）に対峙するスライド突起５４と、を有している。
【００５９】
装着プレート５１は、浅いトレイ状に形成されており、トレイの開放部をベースプレート４５により閉塞することで中空部５５が形成される（図６参照）。また、装着プレート５１は、トレイの開放部と反対側の面が、携帯機器２の支持面となっている。さらに、装着プレート５１には、その輪郭に沿って、ケースパッキン４３が装着されるシール溝５６が形成されている（図７参照）。
【００６０】
図６に示すように、中空部５５は、装着プレート５１とベースプレート４５との間に設けられた空間である。中空部５５には、通信ケーブル６の保護ケース４側のケーブル部分が収容されている。これにより、通信ケーブル６の取り回しを適切に行うことができる。
【００６１】
図５に示すように、コネクタ５２は、コネクタカバー５３から、スライド突起５４に向って延設されている。コネクタ５２には、通信ケーブル６の一端が接続されている。
【００６２】
スライド突起５４は、装着プレート５１の長手方向に形成されたスライド溝（図示省略）に摺動自在に係合している。そして、スライド突起５４は、スライド溝に沿って移動し、装着プレート５１上に装着された携帯機器２のジャックと反対側の面に当接する。スライド突起５４は、スライドさせ、携帯機器２に当接した位置でロックされる。これにより、携帯機器２がコネクタ５２に接続された状態で固定することを可能にしている。
【００６３】
図６に示すように、ベースプレート４５には、軸用開口３３に対応する位置に、軸連通開口５７が形成されている。軸連通開口５７の開口縁部には、ベースプレート４５の背面（機器本体３側）において、後述する回動軸部５が連接されている。
【００６４】
次に、図５に示すように、蓋ケース４２は、本体ケース４１と同一輪郭に形成された枠体４６と、枠体４６の中央の開口部分を塞ぐように貼り付けられたカバー板４７と、を有している。すなわち、蓋ケース４２は、全体として、本体ケース４１と同一輪郭形状を有し、本体ケース４１側を開放した箱状に形成されている。
【００６５】
枠体４６は、例えばＡＢＳ樹脂等の材料で枠状に形成されている。枠体４６の一方の長辺（図４では左側）には、ヒンジ部材６１が設けられている。枠体４６は、ヒンジ部材６１を介して、本体ケース４１（コネクタアッセンブリー４４）に対し、開閉自在に接続されている。これにより、蓋ケース４２を開放することで、携帯機器２の操作を本体ケース４１に装着したまま行うことができる。また、蓋ケース４２を開放した状態で、本体ケース４１に対する携帯機器２の着脱を、上方から容易に行うことができる。
【００６６】
また、枠体４６の他方の長辺（図４では右側）には、本体ケース４１に対し、蓋ケース４２の閉塞状態を保持するためのロック機構６２が設けられている。ロック機構６２は、蓋ケース４２を閉じた状態で、本体ケース４１に係合するフック部（図示省略）を有している。ロック機構６２は、蓋ケース４２を本体ケース４１に対して押圧することで、蓋ケース４２を本体ケース４１上に係止する。
【００６７】
なお、他のロック機構６２として、蓋ケース４２および本体ケース４１にそれぞれ係合部を設け、蓋ケース４２を閉じた状態で、２つの係合部を挟み込む部材をスライド自在に設けた構成としてもよい。
【００６８】
カバー板４７は、枠体４６に中央開口を覆うようにして、外側から水密状態で貼付されている。また、カバー板４７は、透光性を有する材料（例えば、アクリル樹脂など）で板状に形成されている。これにより、蓋ケース４２を閉塞した状態であっても、本体ケース４１に装着した携帯機器２の表示部を目視することができる。したがって、携帯機器２の表示部に映し出される画像や映像を鑑賞することができる。
【００６９】
なお、カバー板４７は、可とう性を有するフィルム状に形成してもよい。これにより、蓋ケース４２を閉塞した状態であっても、本体ケース４１に装着した携帯機器２の操作部２２を操作することができる。また、携帯機器２の操作部２２が、静電容量式のタッチパネルである場合、カバー板４７は、静電容量式タッチパネルの機能を損なわない非導電性薄板であることが好ましい。この場合、カバー板４７は、携帯機器２の操作部２２（表示部２１）に密着していることが好ましい。
【００７０】
図５および図７（ａ）に示すように、ケースパッキン４３は、例えばシリコンゴム等からなるリング状の部材である。ケースパッキン４３は、コネクタアッセンブリー４４の装着プレート５１表面に窪入形成されたシール溝５６に嵌合している。また、図７（ｂ）に示すように、蓋ケース４２（枠体４６）には、シール溝５６と同一輪郭に形成され、シール溝５６に係合する係合突起６３が突設されている。したがって、蓋ケース４２を閉塞すると、係合突起６３が、ケースパッキン４３を押し潰しながらシール溝５６に入り込む。これにより、保護ケース４内を防水状態とすることができ、コネクタアッセンブリー４４に装着した携帯機器２を保護することができる。すなわち、蓋ケース４２は、装着プレート５１と略同一形状であり、ケースパッキン４３を介して、本体ケース４１内を密封している。なお、蓋ケース４２の枠体４６側にシール溝５６を設け、ケースパッキン４３を、枠体４６側に嵌合させてもよい。また、係合突起６３は省略してもよい。
【００７１】
ここで、保護ケース４に携帯機器２を装着する手順について簡単に説明する。先ず、図８に示すように、保護ケース４を縦向き位置とした状態で、蓋ケース４２を開放し、表示部２１等を外側（蓋ケース４２側）に向けた携帯機器２を、コネクタ５２とスライド突起５４との間に臨ませる。そして、携帯機器２のジャックをコネクタ５２に接続する。その後、スライド突起５４（図８では図示省略）を、スライドさせて携帯機器２の上面に当接させる。これにより、携帯機器２を本体ケース４１に装着するだけで、携帯機器２と機器本体３とを電気的な接続状態にすることができる。また、コネクタ５２とスライド突起５４との間に挟むようにして携帯機器２を本体ケース４１に不動に保持することで、コネクタ５２に対して携帯機器２位置を確実に固定し、接続不良や脱落を、有効に防止することができる。
【００７２】
次に、図６を参照して、回動軸部５について説明する。回動軸部５は、全体として略中空円筒状に形成されている。回動軸部５は、軸心部に通信ケーブル６が配線されるケーブル開口５ａが形成された軸部本体５ｂと、軸部本体５ｂの先端に形成された係合フック部５ｃと、を有している。回動軸部５は、ケーブル開口５ａがベースプレート４５に形成された軸連通開口５７に連通するように、ベースプレート４５の背面（機器本体３側）において、軸連通開口５７の開口縁部に連接されている。通信ケーブル６は、回動軸部５のケーブル開口５ａ内を挿通することで、携帯機器２と機器本体３とを通信接続させる。また、回動軸部５は保護ケースの回動に伴って回動するが、ケーブル開口５ａに通信ケーブル６を配線することで、通信ケーブル６に対し損傷を生ずるような外力が作用することがない。
【００７３】
回動軸部５は、係合フック部５ｃを、ケース受容部３１（正面壁３１ａ）に形成された軸用開口３３に押し込むことにより取り付けられる。すなわち、軸用開口３３を挿通した係合フック部５ｃが抜け止めとなる。また同時に、回動軸部５は、軸部本体５ｂの部分で軸用開口３３に回動自在に軸支される。さらに、回動軸部５を軸用開口３３に軸支されると、ベースプレート４５の背面は、リング状パッキン３２に押し当てられた状態となる。したがって、リング状パッキン３２は、回動軸部５を囲繞して設けられ、保護ケース４とケース受容部３１との間を水密状態とする。これにより、保護ケース４の回動を許容しつつ、保護ケース４の取り付け部分から、機器本体３内および保護ケース４内への水滴等の浸入を有効に防止することができる。また、保護ケース４の回転機構部分への塵埃の付着等も有効に防止することができる。
【００７４】
また、上記したように、回動軸部５を支持する軸用開口３３は、正面壁３１ａの中央から右側に偏心した位置に開口している。すなわち、軸用開口３３は、保護ケース４を縦向き位置に回動させたときに、保護ケース４の下端が、オーディオ再生装置１の載置面に接触することのない位置に設けられている。このため、保護ケース４を、縦向き位置と横向き位置との間で円滑に回動させることができる。また、保護ケース４を縦向き位置から更に逆方向に回動させると、保護ケース４の側面がケース受容部３１の右側壁３１ｂの上縁端に突き当たる。このため、ケース受容部３１を、保護ケース４の回動端位置を規制するストッパーとして機能させることができる。
【００７５】
なお、軸用開口３３の開口縁部および軸連通開口５７の開口縁部には、縦向き位置と横向き位置とでクリック係合するクリック機構７が組み込まれている。図２ないし図４に示すように、クリック機構７は、軸用開口３３の開口縁部に窪入形成された３つのクリック凹部７ａと、軸連通開口５７の開口縁部に突出形成された２つのクリック凸部７ｂと、を有している。クリック機構７は、保護ケース４を縦向き位置または横向き位置に回動させたときに、各クリック凸部７ｂが、対応するクリック凹部７ａに嵌合することにより、その姿勢を保持することができるようになっている。なお、クリック凹部７ａおよびクリック凸部７ｂの形成数および形成位置は任意である。
【００７６】
以上の構成によれば、機器本体３に装着した携帯機器２が、防水仕様の保護ケース４に水密に収容されるため、水滴等から携帯機器２を確実にシールすることができる。また、リング状パッキン３２により、機器本体３を防水仕様とすることができるため、屋外や水場での使用に支障を生ずることがない。これにより、携帯機器２を装着し、オーディオソースの再生が可能な、防水仕様のオーディオ再生装置１を提供することができる。また、回動軸部５により保護ケース４を回転させることができるため、装着した携帯機器２の姿勢を、その使用状態に応じて自在に変更することができる。
【００７７】
なお、本発明は、上述した実施形態に何ら限定されるものではなく、その要旨を逸脱しない範囲において種々の形態で実施し得るものである。また、携帯機器２は、楽曲等のオーディオソースを再生するものに限らず、映像（動画）等を再生するものでもかまわない。
【符号の説明】
【００７８】
１：オーディオ再生装置、２：携帯機器、３：機器本体、３ａ：フロント部、４：保護ケース、５：回動軸部、５ａ：ケーブル開口、６：通信ケーブル、７：クリック機構、３１：ケース受容部、３２：リング状パッキン、４１：本体ケース、４２：蓋ケース、４３：ケースパッキン、４７：カバー板、５２：コネクタ、５５：中空部，５７：軸連通開口、６２：ロック機構
【図１】
2012137253.tif 000003
【図２】
2012137253.tif 000004
【図３】
2012137253.tif 000005
【図４】
2012137253.tif 000006
【図５】
2012137253.tif 000007
【図６】
2012137253.tif 000008
【図７】
2012137253.tif 000009
【図８】
2012137253.tif 000010
【国際調査報告】
2012137253.tif 000011
2012137253.tif 000012